(57)【要約】【課題】ガスなどを内部へ導入するための封入口に特別な加工を施すことなく、簡易な構造で光を放つ風船を提供する。【解決手段】この風船は、風船本体部１０と、発光体２０と、繋留紐３０と、把持部４０とを備える。この風船本体部１０は、発光体２０を格納するための発光体格納部１１と、外部からガス（または液体）を導入するための封入口１２とを含んでおり、封入口１２を介して適宜量のガスが導入されたのち封入口１２はきつく結ばれる。発光体格納部１１は、風船本体部１０の内側に袋状の凹部が形成されるように内部へ陥入した形状となっている。この発光体格納部１１から発光体２０が風船本体部１０を通して外部へ光を放つと風船本体部１０全体が光っているように見える。このように封入口１２の構造に関連することなく発光体２０が設けられるので、封入口１２に発光やガス抜け防止のための特別な加工を施すことなく、簡易な構造にできる。【選択図】図１
2005312881.tif 000002
【特許請求の範囲】
【請求項１】
外部から内部に所定の気体または液体を導入するための封入口を有し、当該封入口を介して外部から内部に前記気体または液体を導入されることにより所定の形状となる風船であって、
前記気体または液体を内部に維持する風船本体部と、
光を発する発光部とを備え、
前記発光部は、前記封入口の構造および位置に関連しないことを特徴とする、風船。
【発明の詳細な説明】
【技術分野】
【０００１】  本発明は、所定の気体または液体を導入されることにより所定の形状となる風船に関し、より詳しくは発光部を備える風船に関する。
【背景技術】
【０００２】  従来より、風船の外側に夜光塗料などの発光性の塗料などを固着させることで絵が描かれており、暗い場所等で絵柄に応じた光を放つ風船が知られている。また、内部へガスを導入するためのガス吹き込み部に対し着脱自在に嵌着されるガス注入バルブを有し、このバルブに発光部と電池とを取り付けた風船（以下「従来の発光風船」という）が知られている（特許文献１を参照）。この従来の発光風船は、発光部から拡散される光が風船の内面で反射することにより風船全体が明るく発光するため、視認性に優れ趣向に富んだものとすることができる。
【特許文献１】特開２００３−３４０１６８号公報
【発明の開示】
【発明が解決しようとする課題】
【０００３】  しかし、上記従来の発光風船は、ガス注入バルブに発光部や電池を取り付けるため、その構造が複雑となり、また、ガスの漏出を防止するための構造も複雑なものとなる。その結果、ガスの注入には慎重を要することになり、風船全体のコストも増大する。【０００４】  そこで本発明の目的は、ガスなどを内部へ導入するための封入口に特別な加工を施すことなく、簡易な構造で光を放つ風船を提供することである。
【課題を解決するための手段】
【０００５】  本発明は、外部から内部に所定の気体または液体を導入するための封入口を有し、当該封入口を介して外部から内部に前記気体または液体を導入されることにより所定の形状となる風船であって、
前記気体または液体を内部に維持する風船本体部と、
光を発する発光部とを備え、
前記発光部は、前記封入口の構造および位置に関連しないことを特徴とする。【０００６】  また、本発明における発光部は、例えば風船本体部の内側に袋状の凹部が形成されるように風船本体部の適宜の部分が内部へ陥入した形状とした格納部に格納されていてもよいし、例えば膨らんだときの風船本体部にほぼ外接する枠材であってもよい。
【発明の効果】
【０００７】  上記発明によれば、気体や液体を内部へ導入するための封入口に特別な加工を施すことなく、簡易な構造で低コストの光を放つ風船を提供することができる。
【発明を実施するための最良の形態】
【０００８】  以下、本発明の一実施形態につき添付図面を参照して説明する。
＜１．第１の実施形態＞
図１は、本発明における第１の実施形態に係る風船を側面から見た概略図であり、より詳しくは、図１（ａ）は発光体を１つ備える風船を示す図であり、図１（ｂ）は発光体を３つ備える風船を示す図である。この風船は、伸縮性に富むゴムからなる袋状の風船本体部１０と、自ら光を放つ物質からなる発光体２０（図１（ｂ）では３つの発光体２０ａ〜ｃ）と、風船本体部１０を繋ぎ留める繋留紐３０と、人が掴みやすいような形状であって繋留紐３０の一端に設けられる把持部４０とを備える。なお、把持部４０は省略されてもよい。【０００９】  この風船本体部１０は、発光体２０を格納するための発光体格納部１１（図１（ｂ）では３つの発光体格納部１１ａ〜ｃ）と、外部から所定の気体または液体（ここでは水素ガスまたはヘリウムガスとする）を導入するための封入口１２とを含んでおり、封入口１２を介して適宜量のガスが導入されると、図１に示すように楕円球状の形状に膨らむ。なお、そのときの封入口１２はガスが漏出しないようにきつく結ばれている。発光体格納部１１は、風船本体部１０が楕円球状に膨らんだとき、その内側に袋状の凹部が形成されるように、風船本体部１０の適宜の部分が内部へ陥入した形状となっている。【００１０】  発光体２０は、トリチウムやプロメチウムなどの自発光性を有する物質を含んでおり、発光体格納部１１から風船本体部１０を通して外部へ光を放つ。そのため、風船本体部１０全体が光っているように見える。なお、この発光体２０は発光するものであればどのようなものであってもよく、例えばテルビウムなどの蓄光性を有する物質を含んでいてもよいし、小型の電池とＬＥＤなどの発光素子とを含んでいてもよい。また、図１（ｂ）に示す発光体２０ａ〜ｃの種類、形状、大きさなどを種々に設定すれば、発光色や発光量など発光の具合を自在に設定することができる。【００１１】  このように上記第１の実施形態によれば、封入口１２の構造に関連することなく発光体２０が設けられるので、封入口１２に発光やガス抜け防止のための特別な加工を施すことなく、簡易な構造で光を放つ風船を提供することができる。また、発光体２０の種類、形状、大きさなどや発光体格納部１１の位置や大きさなどを種々に設定することにより発光の具合を自在に設定することができる。【００１２】  なお、上記第１の実施形態では、発光体２０が発光体格納部１１に格納される構成であるが、発光体格納部１１を省略し、発光体２０に代えて、発光性ガス、例えばトリチウムガスなどが風船本体部１０の内部に導入されてもよいし、電流を流すと発光するガス（ネオンやアルゴンなど）が導入されてもよいし、自発光性または蓄光性を有する粉体（例えば自発光性または蓄光性物質が塗られた金属粉）が導入されてもよいし、光反射性を有する粉体（例えば金属粉）が導入されてもよい。また、摩擦（トレボ）発光する物質（例えば砂糖の結晶）が固形物（例えば石粒）とともに導入されてもよい。この構成では、風船が動かされる（振られる）と、上記摩擦発光する物質と固形物とが衝突することにより発光する。さらに、風船本体部１０の一部または全部が伸縮性を有する発光物質により形成されていてもよい。【００１３】＜２．第２の実施形態＞
図２は、本発明における第２の実施形態に係る風船を側面から見た概略図である。図２（ａ）ではその風船の一例が示されており、図２（ｂ）ではその別例が示されている。第１の実施形態の場合とは異なり、この風船は、発光体格納部１１を備えず、発光体２０に代えて発光フレーム１００を備えるが、その他の構成部分は第１の実施形態の場合とほぼ同様であるので、同一の構成要素には同一の符号を付してその説明を省略する。【００１４】  図２（ａ）に示す風船は、楕円球状に膨らんだ風船本体部１０にほぼ外接する複数の楕円形状の枠材を組み合わせてなる檻状の発光フレーム１００を備える。また、図２（ｂ）に示す風船は、５つの球が接合した形状に膨らんだ風船本体部１０の各球にほぼ外接する円形状の枠材を組み合わせてなる発光フレーム１００を備える。その他、この発光フレーム１００は、内部に風船本体部１０が入る形状であればどのような形状であってもよく、例えば人や動物などの有形物を模した形状や文字などであってもよいし、それらが発光フレーム１００の表面に印刷されてもよい。このようにすれば、風船本体部１０の膨張・収縮により絵柄や文字が歪むことなく、所望の形状や文字を表示することができる。この発光フレーム１００は電流を流されることにより発光するＥＬ（ｅｌｅｃｔｒｏｌｕｍｉｎｅｓｃｅｎｃｅ）物質を含む光源からなる。この発光フレーム１００から風船本体部１０の内部へ向かう光は風船本体部１０を通して外部へ放たれるため、風船本体部１０全体が光っているように見える。なお、この発光フレーム１００は発光するものであればどのようなものであってもよく、自発光性や蓄光性を有する物質を含んでいてもよいし、小型の電池を内蔵していてもよいし、複数のＬＥＤなどの発光素子が枠材に沿って配列されていてもよい。また、この発光フレーム１００を構成する複数の枠材の種類や大きさなどを種々に設定すれば、発光色や発光量などの発光の具合を自在に設定することができる。【００１５】  把持部４００は、第１の実施形態における把持部４０の機能を有するが、第１の実施形態の場合とは異なり、発光フレーム１００を発光させるために必要な電源（例えば電池）を内蔵している。このように比較的重い電源を把持部４００に内蔵することにより、風船本体部１０は浮きやすくなり、また人が手を離しても飛び去ることがなくなる。また、風船本体部１０を繋ぎ留める繋留紐３００は、第１の実施形態における繋留紐３０の機能を有するが、第１の実施形態の場合とは異なり、把持部４００の電源から供給される電流を発光フレーム１００に流すための電線（例えば被覆銅線）である。【００１６】  このように上記第２の実施形態によれば、封入口１２の構造に関連することなく発光フレーム１００が設けられるので、封入口１２に特別な加工を施すことなく、簡易な構造で光を放つ風船を提供することができる。また、発光フレーム１００の形状や大きさなどを適宜に設定することにより、歪みのない絵柄や文字を表示することができる。【００１７】  なお、上記一実施形態では、発光フレーム１００により絵柄や文字などを作成できるが、風船本体部１０の表面に蓄光性または光反射性を有する塗料で絵や文字を描くことにより、豊か���視覚効果または表現態様を提供することができる。【００１８】＜３．その他の変形例＞
上記第１および第２の実施形態では、発光体２０および発光フレーム１００は所定の色や光量などで発光するだけであるが、この発光態様を制御するための制御装置を含んでいてもよいし、発光体２０および発光フレーム１００に代えて画像表示装置が備えられていてもよい。この画像表示装置は、例えば薄型で可撓性を有する液晶表示装置であり、この液層表示装置を風船本体部１０の表面に貼り付けることにより、豊かな視覚効果を提供することができる。【００１９】  上記第２の実施形態では、発光フレーム１００は把持部４００に内蔵される電源から繋留紐３００を介して流れる電流により発光するが、この構成に代えて、把持部４００は光源を内蔵し、繋留紐３００は例えば光ファイバーなどの導光性を有する素材からなり、発光フレーム１００は光を拡散するガラスなどの素材からなるものとしてもよい。そうすれば、把持部４００から発せられた光は、繋留紐３００を通って発光フレーム１００から風船本体部１０の内部または外部に放たれるので、風船全体が光って見える。また、この変形例の構成において発光フレーム１００を省略し、把持部４００から発せられた光が繋留紐３００を通って封入口１２から風船本体部１０の内部に放たれるように、繋留紐３００の端部を封入口１２から風船本体部１０の内部へ差し入れるように構成してもよい。
【図面の簡単な説明】
【００２０】
【図１】本発明における第１の実施形態に係る風船の側面図である。
【図２】本発明における第２の実施形態に係る風船の側面図である。
【符号の説明】
【００２１】１０  …風船本体部
１１  …発光体格納部
１２  …封入口
２０  …発光体
３０，３００  …繋留紐
４０，４００  …把持部
１００        …発光フレー厶
【図１】
2005312881.tif 000003
【図２】
2005312881.tif 000004